(57)【特許請求の範囲】
【請求項１】
視聴者が放送画面に基づき応答することが可能な視聴者応答システムであって、
視聴者からの応答を受け付けるウェブサイトを含むサーバと、
放送局からデジタル放送される放送電波を介して送信される映像信号、音声信号及び当該映像信号により映像に映る物品に応じた関連情報と前記ウェブサイトのＵＲＬがコード化されている二次元コード画像とを含む放送データを受信するデジタル放送受信部と、
前記映像信号に対応する映像を表示する表示部と、
前記表示部に表示された映像において前記視聴者から指定された位置を特定する指定位置判定部と、
前記指定位置判定部で特定した映像の位置に配置された物品に応じた前記関連情報及び前記二次元コード画像を前記表示部に表示するデータ放送処理部と、
前記表示部に表示される前記二次元コード画像の撮影により前記ウェブサイトにアクセスするカメラ付き情報端末装置と、
を備え、
前記放送局は、前記物品について時間帯または期間に応じて異なる価格情報がコード化されている前記二次元コード画像を放送し、
前記サーバは、前記カメラ付き情報端末装置が撮影から時間を置いて前記ウェブサイトにアクセスしても、前記カメラ付き情報端末装置によるアクセスを、前記カメラ付き情報端末装置が撮影した時間帯または期間内での発注受付として処理する
ことを特徴とする視聴者応答システム。
【請求項２】
前記放送データは、前記音声信号の内容に応じた関連情報と二次元コード画像とを更に含み、前記データ放送処理部は、前記指定位置判定部が特定した映像の位置に配置された物品についての前記関連情報及び前記二次元コード画像を表示するのと併せて、前記音声信号による音楽の内容に応じた前記関連情報と前記二次元コード画像とを表示することを特徴とする請求項１に記載の視聴者応答システム。
【請求項３】
前記音声信号の内容に応じた前記二次元コード画像には、前記ＵＲＬと共に、前記音楽の媒体を表す商品コード及び価格情報を含み、視聴者は前記カメラ付き情報端末装置にてアクセスした前記ウェブサイトで前記媒体の発注処理が行えることを特徴とする請求項２に記載の視聴者応答システム。
【請求項４】
前記ＵＲＬは前記物品または前記音楽に関するアンケート受付のウェブサイトにリンクしていることを特徴とする請求項２に記載の視聴者応答システム。
【請求項５】
前記ＵＲＬは前記物品または前記音楽に関する会員登録受付のウェブサイトにリンクしていることを特徴とする請求項２に記載の視聴者応答システム。
【請求項６】
前記指定位置判定部は、前記表示部に表示された映像上を移動可能に制御されるポインタにより前記視聴者から指定される位置を受け付けることを特徴とする請求項１に記載の視聴者応答システム。
【請求項７】
前記指定位置判定部は、前記表示部に表示された映像を複数に分割した領域の指定を受けることで前記視聴者から指定される位置を受け付けることを特徴とする請求項１に記載の視聴者応答システム。
【請求項８】
視聴者が放送画面に基づき応答することが可能な視聴者応答システムであって、
視聴者からの物品の発注を受け付けるウェブサイトを含むサーバと、
放送局からデジタル放送される放送電波を介して送信される映像信号、前記物品についての関連情報と前記ウェブサイトのＵＲＬがコード化されている二次元コード画像とを含む放送データを受信するデジタル放送受信部と、
前記映像信号に対応する映像を表示する表示部と、
データ放送の画面表示を指示するときに操作されるデータ放送指示部と、
データ放送の画面表示が指示されたとき前記関連情報及び前記二次元コード画像を前記表示部に表示するデータ放送処理部と、
前記表示部に表示される前記二次元コード画像の撮影により前記ウェブサイトにアクセスするカメラ付き情報端末装置と、
を備え、
前記放送局は、前記物品について時間帯または期間に応じて異なる価格情報がコード化されている前記二次元コード画像を放送し、
前記サーバは、前記カメラ付き情報端末装置が撮影から時間を置いて前記ウェブサイトにアクセスしても、前記カメラ付き情報端末装置によるアクセスを、前記カメラ付き情報端末装置が撮影した時間帯または期間内での発注受付として処理する
ことを特徴とする視聴者応答システム。
【請求項９】
前記二次元コード画像は、前記物品またはサービスを提供する時間または期日の情報と価格情報とがコード化されていることを特徴とする請求項８に記載の視聴者応答システム。
【発明の詳細な説明】
【技術分野】
【０００１】
本発明は、デジタル放送受信装置を用いた視聴者応答システムに関する。
【背景技術】
【０００２】
テレビ放送を視聴する視聴者においては、テレビの表示画面上に映し出される物品やバックグラウンドに流れる音楽などに興味を持ち、それに関する情報を取得したいという思うことがしばしば起きる。特に、視聴者が好意を有する出演者の装飾品に関する情報などにおいては、その情報に対する願望は更に大きなものとなる。そして、情報だけでなく、その物品やバックグラウンドの音楽媒体の購入や、それに関するアンケートへの参加等でその情報に対して応答したいと希望することもある。
【０００３】
また、表示画面に映し出される物品に限らず、物品やサービスの販売提供者は、テレビ放送を利用してその時点に応じて価格をタイミング良く変動させることで、視聴者の購買心を刺激して視聴者からの応答（発注）の増大につなげ、物品やサービスの需要を掘り起こしたいとの供給側の要望もある。
【０００４】
視聴者からの応答を可能にする双方向システムとしては、デジタルテレビにインターネット回線や電話回線を接続して双方向通信を行う構成が考えられる。しかし、この場合、テレビにインターネット回線や電話回線を接続しなければならず手間となる。特に、テレビショッピング等の双方向システムにおいては多くの人に利用してもらうのに、手軽に双方向通信を利用できるシステムが望まれている。
【０００５】
そのため、テレビショッピングに関する双方向システムとしては、販売対象に関する情報を、二次元コードで表現した所定の配信情報を表示させるフレームを挿入した動画像を動画像作成装置にて作成して放送装置から放送し、テレビジョン受像機等の動画像出力装置から出力させる。そして、消費者は、動画撮影機能付き携帯電話機等の動画像取得装置を用いてテレビジョン受像機に表示された動画像を撮影し、撮影した動画に挿入されているフレームに示された配信情報を読み取り、読み取った配信情報に含まれる販売対象に関する情報を判別し、判別した販売対象に関する情報に基づいて、発注受付装置に発注を行う構成が知られている（例えば、特許文献１を参照）。
【０００６】
このような双方向システムであれば、カメラ付き携帯電話機は著しく普及されたため手軽に双方向通信を行うことができる。
【先行技術文献】
【特許文献】
【０００７】
【特許文献１】特開２００５−３５４６０３号公報
【発明の開示】
【発明が解決しようとする課題】
【０００８】
しかし、上記従来技術では、カメラ付き携帯電話機には、撮影した動画に挿入されているフレームに示された配信情報を読み取り、読み取った配信情報に含まれる販売対象に関する情報を判別し、判別した販売対象に関する情報に基づいて、発注受付装置に発注を行う処理を実行するためのプログラムを予め所定のウェブサーバからダウンロードしておく必要があり、ダウンロードした視聴者しかこのような発注システムを利用できないという欠点がある。
【０００９】
しかも、放送する動画に二次元コードで表現した所定の配信情報を表示させるフレームを挿入しなければならず、テレビショッピング等の専門の番組に限定される。
【００１０】
本発明は、かかる問題点に鑑みて為されたものであり、特別なプログラムを必要とせずに、カメラ付き情報端末装置のカメラ機能のみで双方向通信を可能にする視聴者応答システムを提供することを目的としている。
【課題を解決するための手段】
【００１１】
このため、本発明は、視聴者が放送画面に基づき応答することが可能な視聴者応答システムであって、視聴者からの応答を受け付けるウェブサイトと、放送局からデジタル放送される放送電波を介して送信される映像信号、音声信号及び当該映像信号により映像に映る物品に応じた関連情報と前記ウェブサイトのＵＲＬがコード化されている二次元コード画像とを含む放送データを受信するデジタル放送受信部と、前記映像信号に対応する映像を表示する表示部と、前記表示部に表示された映像において前記視聴者から指定された位置を特定する指定位置判定部と、前記指定位置判定部で特定した映像の位置に配置された物品に応じた前記関連情報及び前記二次元コード画像を前記表示部に表示するデータ放送処理部と、前記表示部に表示される前記二次元コード画像の撮影により前記サブサイトにアクセスするカメラ付き情報端末装置と、を備えたことを特徴としている。
【００１２】
そして、前記二次元コード画像は、前記ＵＲＬと共に、前記物品を表す商品コード及び価格情報がコード化されており、視聴者は前記カメラ付き情報端末装置にてアクセスした前記ウェブサイトで前記物品の発注処理を行うことを特徴としている。そして、前記二次元コード画像は、同一の前記物品について時間帯または期間に応じてそれぞれ異なる価格情報がコード化された情報を含み、前記放送局は前記時間帯または期間に応じて何れかの前記価格情報がコード化されている前記二次元コード画像を放送することを特徴としている。さらに、前記二次元コード画像は、同一の前記物品についてそれぞれ異なる前記価格情報に対応する前記時間帯または期間についての情報がコード化されていることを特徴としている。
【００１３】
また、前記放送データは、前記音声信号の内容に応じた関連情報と二次元コード画像とを更に含み、前記データ放送処理部は、前記指定位置判定部が特定した映像の位置に配置された物品についての前記関連情報及び前記二次元コード画像を表示するのと併せて、前記音声信号による音楽の内容に応じた前記関連情報と前記二次元コード画像とを表示することを特徴としている。
【００１４】
そして、前記音声信号の内容に応じた前記二次元コード画像には、前記ＵＲＬと共に、前記音楽の媒体を表す商品コード及び価格情報を含み、視聴者は前記カメラ付き情報端末装置にてアクセスした前記ウェブサイトで前記媒体の発注処理が行えることを特徴としている。
【００１５】
また、前記ＵＲＬは前記物品または前記音楽情報に関するアンケート記入または会員登録のウェブサイトにリンクしていることを特徴としている。
【００１６】
そして、前記指定位置判定部は、前記表示部に表示された映像上を移動可能に制御されるポインタにより前記視聴者から指定される位置を受け付けることを特徴としている。また、前記指定位置判定部は、前記表示部に表示された映像を複数に分割した領域の指定を受けることで前記視聴者から指定される位置を受け付けることを特徴としている。
【００１７】
本発明は、視聴者が放送画面に基づき応答することが可能な視聴者応答システムであって、視聴者からの物品の発注を受け付けるウェブサイトを含むサーバと、放送局からデジタル放送される放送電波を介して送信される映像信号、前記物品についての関連情報と前記ウェブサイトのＵＲＬがコード化されている二次元コード画像とを含む放送データを受信するデジタル放送受信部と、前記映像信号に対応する映像を表示する表示部と、データ放送を指示するデータ放送指示部と、データ放送の指示にて前記関連情報及び前記二次元コード画像を前記表示部に表示するデータ放送処理部と、前記表示部に表示される前記二次元コード画像の撮影により前記サブサイトにアクセスするカメラ付き情報端末装置と、を備え、前記放送局は、前記物品について時間帯または期間に応じて異なる価格情報がコード化されている前記二次元コード画像を放送し、前記サーバは、前記カメラ付き情報端末装置が撮影から時間を置いて前記ウェブサイトにアクセスしても、前記カメラ付き情報端末装置によるアクセスを、前記カメラ付き情報端末装置が撮影した時間帯または期間内での発注受付として処理することを特徴としている。
【００１８】
そして、前記二次元コード画像は、前記物品またはサービスを提供する時間または期日の情報と価格情報とがコード化されていることを特徴としている。
【発明の効果】
【００１９】
本発明に係る視聴者応答システムによれば、デジタル放送において表示画面上に映し出される物品を指定することで、当該物品の関連情報と、視聴者が応答するための応答先のサブサイトのＵＲＬがコード化された二次元コード画像とが画面に表示されて、関連情報を確認した視聴者は、カメラ付き情報端末装置にて二次元コード画像を撮影することで簡単且つ迅速に応答先のサブサイトにアクセスすることができる。
【００２０】
また、本発明に係る視聴者応答システムによれば、データ放送の指示により、物品やサービスの関連情報と視聴者が応答するための応答先のサブサイトのＵＲＬがコード化された二次元コード画像とがデータ放送画面に表示されて、関連情報を確認した視聴者は、カメラ付き情報端末装置にて二次元コード画像を撮影することで簡単且つ迅速に応答先のサブサイトにアクセスして物品やサービスの提供を発注することができる。
【００２１】
この構成により、データ放送を利用して関連情報及び二次元コード画像を画面表示するために、テレビショッピングの番組やコマーシャル・メッセージの放映に限らず、通常の番組からでも、商品購入やアンケートへの回答または会員登録等の視聴者からの応答を受け付けることができる。そして、視聴者は、特別なプログラムをカメラ付き情報端末装置にインストールしておく必要がなく、関連情報に対して手軽に応答することができる。
【００２２】
そして、データ放送のリアルタイム性を利用して、その時点に応じてその価格をタイミング良く変動させれば、視聴者の購買心を刺激して応答（発注）の増大につながり、物品やサービスの需要を掘り起こしが期待できる。
【図面の簡単な説明】
【００２３】
【図１】本発明の視聴者応答システムを概念的に示す説明図である。
【図２】カメラ付き情報端末装置から受け付けのウェブサイトをアクセスしたときの際の動作を説明するためのフロー図である。
【図３】デジタル放送受信装置の概略構成について示すブロック図である。
【図４】デジタル放送受信装置にリモコン信号を送信するリモコンの外観構成図である。
【図５】デジタル放送受信装置の表示部にポインタが表示された表示画面例を示す図である。
【図６】デジタル放送受信装置で関連情報を表示する際の動作を説明するためのフロー図である。
【図７】図６に示す動作によって上記デジタル放送受信装置の表示部に表示される表示画面の具体例を示す図である。
【図８】デジタル放送受信装置の表示部に表示される表示画面の具体例を示す図である。
【発明を実施するための形態】
【００２４】
以下、本発明の一実施の形態に係る視聴者応答システムの詳細を図面の記載に基づいて説明する。
【００２５】
図１は本発明の視聴者応答システムを概念的に示す説明図である。放送局４０は、放送する番組の映像信号と、音声信号と、当該映像信号及び音声信号の内容に応じた関連情報とを含む放送データ（番組データ）とをデジタル放送の放送電波を介して放送する。この放送データは、後述するように、映像信号及び音声信号を含む映像・音声パケットと、その映像・音声パケットの内容に応じた関連情報を含むデータ放送パケットとから構成される。
【００２６】
データ放送パケットに含まれる関連情報は、映像・音声パケットに含まれる映像信号を出力した場合における表示画面上の人物や物品に関する情報（例えば、人物のプロフィールや物品の名称）、並びに、音声信号の内容に応じた情報（例えば、バックグラウンドの曲名や歌手名）などを含むもので、現在放送中の番組についての情報がリアルタイムで更新される番組連動形式のデータ放送となっている。
【００２７】
デジタル放送受信装置７０は放送電波を受信し映像及び音声を出力する。このとき、デジタル放送受信装置７０は、視聴者による指示操作によりデータ放送パケットに含まれる関連情報を映像と共に表示することができる。
【００２８】
応答受付者６０は、放送局４０と提携しており、例えば、番組の中で使用されて映像に映っている物品や、番組のバックグラウンドに流れている音楽のＣＤ等の媒体を視聴者に販売したり、或いはこれら物品や音楽についてのアンケートを視聴者から募集したりする。そして、応答受付者６０は、視聴者からのこのような発注やアンケートの受け付けをウェブサーバ６１に開設しているウェブサイト６２上で処理する。
【００２９】
視聴者は、物品の発注やアンケートへの回答を、デジタル放送受信装置７０の画面上に映像と共に表示される関連情報に基づき行うが、ウェブサイト６２にリンクするＵＲＬ情報は二次元コード画像７１にて前記関連情報に付加して表示されている。よって、前記データ放送パケットには、前記関連情報と共に二次元コード画像７１が含まれている。更に詳細に説明すれば、前記データ放送パケットには、映像信号を再生した場合における表示画面上の人物や物品に関する情報（例えば、人物のプロフィールや物品の名称）に加えて、これら物品に応じた各二次元コード画像や、音声信号の内容に応じた情報（例えば、バックグラウンドの音楽の曲名や歌手名）に加えて、音楽に応じた二次元コード画像を含んでいる。
【００３０】
そして、視聴者は、表示されている二次元コード画像７１を携帯電話やパソコン等のカメラ付き情報端末装置８０にて撮影することで、インターネット５０を通じてウェブサイト６２にアクセスし、番組の画面に視聴者が応答することができる双方向のシステムとなっている。
【００３１】
このように、応答受付者６０は、ウェブサイト６２にリンクするＵＲＬ情報を含む二次元コード画像を放送局４０からデータ放送してもらうのに、二次元コード画像７１を生成して放送局４０に提供する。
【００３２】
提供する二次元コード画像７１は、応答受付者６０が物品の販売を目的とする場合には、ＵＲＬ情報と共に物品の商品コードや価格情報を二次元コードに含ませて二次元コード画像７１を生成する。このとき、番組連動形式のデータ放送であれば、二次元コード画像をリアルタイムにて変更できるために、時間や期間に応じて割引販売を行うことも可能となる。
【００３３】
このような割引販売を行う場合には、商品コードと共に、割引を行う時間帯または期間の情報とその時の価格情報とを二次元コード画像７１に含ませて、放送局４０は、応答受付者６０から提供された割引の価格情報がコード化された二次元コード画像７１を、定められた時間帯や期間で関連情報と共に前記データ放送パケットに取り込んで放送する。従って、応答受付者６０は、同一物品についてその価格情報の種類に応じた複数の二次元コード画像７１を用意して、放送局４０に事前に提供することになる。
【００３４】
デジタル放送受信装置７０は、二次元コード画像７１が含まれている放送データを受信すると、映像信号による映像と音声信号による音声を出力して放映する。視聴者は、映像に映る物品やバックグラウンドの音楽についての関連情報を得たい場合には、後に明らかとなる所定の操作を行うことにより、デジタル放送受信装置７０は、映像信号による映像に映る物品に応じた関連情報及び二次元コード画像と、音声信号による音楽に応じた関連情報及び二次元コード画像とを映像と共に表示部に表示する。
【００３５】
そして、視聴者は、物品や音楽の関連情報を確認して物品やこの音楽の媒体を販売していることを知り、これを発注するときは、応答受付者６０からの提供により表示されている二次元コード画像７１を携帯電話やパソコン等のカメラ付き情報端末装置８０にて撮影する。
【００３６】
図２は、情報端末装置８０とウェブサイト６２にアクセスしたときの動作を説明するためのフロー図を示しており、この図２にて発注動作を説明する。二次元コード画像７１を撮影した情報端末装置８０は、先ずステップ（以下、「ＳＴ」と略す）１）にて撮影した二次元コードをデコードしてＵＲＬ情報と商品コードと価格情報とを取得し、次に、取得したＵＲＬのリンク先のウェブサイトにアクセスして、商品コードと価格情報とを送付する（ＳＴ２）。
【００３７】
これにより、ウェブサーバ６１は、送付されてきた商品コードの商品をその価格にて販売を行うための発注情報の入力画面を送信し、情報端末装置８０はこれをダウンロードする（ＳＴ３）。そして、視聴者は、入力画面に従って決済方法や商品の送り先等を入力し（ＳＴ４）、そして情報端末装置８０から発注情報を送信する（ＳＴ５）。尚、音楽媒体の販売には、音楽をダウンロードにより配信する方式もあり、この場合には、発注が成立した時点で音楽を情報端末装置８０にダウンロードすることになる。
【００３８】
このように、そのときに表示される二次元コード画像を情報端末装置８０にて撮影することで、リアルタイムで発注を行うことができる。従って、上記したように、時間帯または期間に応じて異なる価格情報を含む二次元コード画像７１を放送局が放送すれば、その価格情報による販売の入力画面をウェブサーバ６１は情報端末装置８０に送信するために、割引販売が可能となる。
【００３９】
このとき、二次元コード画像に価格情報と共にその価格情報に対応している時間帯または期間の情報がコード化されていれば、情報端末装置８０が撮影から時間を置いてウェブサーバ６１にアクセスしても、情報端末装置８０は二次元コードをデコードしたとき時間帯または期間の情報も取得するために、ウェブサーバ６１では撮影した時間帯または期間内での発注受付として処理することができる。
【００４０】
一方、視聴者が、物品や音楽の関連情報を確認したとき、この物品や音楽についてのアンケートを募集していることを知り、これに参加を希望するときは、応答受付者６０からの提供により表示されている二次元コード画像７１を情報端末装置８０にて撮影する。これにより、情報端末装置８０は、二次元コード画像をデコードし（ＳＴ１）、撮影した二次元コード画像７１から取得したＵＲＬのリンク先のウェブサイトにアクセスする（ＳＴ２）。そして、ウェブサーバ６１は、アンケートの入力画面を送信して情報端末装置８０はダウンロードし（ＳＴ３）、視聴者は、入力画面に従ってアンケートに入力し（ＳＴ４）、回答を送信する（ＳＴ５）。
【００４１】
また、アンケートの受け付け以外にも、これら物品や音楽に関して会員を募集するような場合にも適用される。この場合は、ウェブサーバ６１が送信する会員登録の入力画面を情報端末装置８０はダウンロードし（ＳＴ３）、視聴者は、会員登録画面に従って入力し（ＳＴ４）、入力結果を送信する（ＳＴ５）。例えば、会員登録すれば、視聴者が記入した住所やメールアドレスの連絡先に新たな情報が送られる。
【００４２】
上記したように、視聴者が、映像に映る物品やバックグラウンドの音楽についての関連情報を得たい場合に行う所定の操作にて、デジタル放送受信装置７０は、映像信号による映像に映る物品に応じた関連情報及び二次元コード画像と、音声信号による音楽に応じた関連情報及び二次元コード画像とを表示するデータ放送画面と映像画面とを共に表示部に表示するが、かかるデジタル放送受信装置７０の具体的な構成について説明する。
【００４３】
図３は、デジタル放送受信装置７０の概略構成について示すブロック図である。デジタル放送受信装置７０は、放送局４０から送出されるデジタル放送の放送電波を介して、放送データ（番組データ）を受信し、視聴者に対して、その放送データを出力するものである。ここで、放送局４０から送出される放送電波は、例えば、地上波、ＢＳ衛星波やＣＳ衛星波で構成されるものとする。また、デジタル放送受信装置７０は据え置き型のテレビに限定されるものでなく、車載端末などのデジタル放送が受信可能なあらゆる通信端末装置に適用可能である。
【００４４】
図３に示すように、デジタル放送受信装置７０は、デジタル放送受信部２，制御部３，表示部４，スピーカ５，リモコン受光部６及び通信処理部７などを備えている。以下、これらの各構成要素について説明する。
【００４５】
デジタル放送受信部２は、放送局４０から送られてくる放送電波を介して、デジタル放送で放送される放送データを受信するものである。具体的には、デジタル放送受信部２は、放送データを受信し、その受信した放送データのＯＦＤＭ復調を行う。そして、ＯＦＤＭ復調により取り出したデジタル信号に対して誤り訂正を行うことでＴＳ（Transport Stream）パケットを得た後、そのＴＳパケットを目的別に分離して制御部３に出力する。
【００４６】
ここで、デジタル放送受信部２が受信する放送データは、前述したように、映像信号及び音声信号を含む映像・音声パケットと、その映像・音声パケットの内容に応じた関連情報を含むデータ放送パケットとから構成されて、データ放送パケットに含まれる関連情報は、映像・音声パケットに含まれる映像信号を再生した場合における表示画面上の人物や物品に関する情報（例えば、人物のプロフィールや物品の名称）及びこの物品に応じた二次元コード画像、並びに、音声信号の内容に応じた情報（例えば、バックグラウンドの曲名や歌手名）及び音楽情報に応じた二次元コード画像などを含んでいる。
【００４７】
つまり、放送局４０は、放送データを送出する際、その放送データがデジタル放送受信装置７０で受信され、表示部４及びスピーカ５から出力された場合に、表示画面上に映し出される映像に応じたあらゆる関連情報をデータ放送パケットに含んで送出する。放送データは、時間経過に応じて遷移するが、放送局４０は、その遷移する放送データにおいてデジタル放送受信装置７０の表示画面上に映し出される映像に応じたあらゆる関連情報をデータ放送パケットに含めることで番組連動のデータ放送となっている。
【００４８】
制御部３は、デジタル放送受信部２からのＴＳパケットに含まれる映像信号及び音声信号の復号処理を行う共に、データ放送の処理内容を指定するＢＭＬ（Broadcast Markup Language）の内容の解析を行う。また、画面制御部３３にて復号処理が行われた映像信号とデータ放送の画像データなどを画面で同時に表示する処理を行う。さらに、リモコンから出力される信号（以下、「リモコン信号」という）を検出すると、そのリモコン信号に応じた処理を実行する。
【００４９】
表示部４は、ＣＲＴやプラズマディスプレイ（ＰＤＰ）などのディスプレイ装置で構成され、制御部３からの映像を出力（表示）する。スピーカ５は、制御部３で復号処理が行われた音声信号を出力する。なお、表示部４から出力される放送データに対応する映像と、スピーカ５から出力される放送データに対応する音声とは同期して出力されるように調整される。
【００５０】
リモコン受光部６は、視聴者が操作するリモコンからリモコン信号を受信する。リモコン信号には、例えば、放送局の選択指示（選局指示）、デジタル放送受信装置７０における字幕の追加指示、並びに、放送提供者との間の通信処理を指示する通信指示などの指示信号が含まれる。特に、本実施形態に係るデジタル放送受信装置７０においては、表示部４の表示画面上における関連情報の表示を要求する位置（以下、「表示要求位置」という）を指定する位置指定信号が含まれる。
【００５１】
そして、制御部３は、映像・音声処理部３１、データ放送処理部３２、画面制御部３３、指示検出部３４及び指定位置判定部３５を備えている。以下、制御部３に含まれる、これらの各構成要素について説明する。
【００５２】
映像・音声処理部３１は、デジタル放送受信部２で分離して出力されたＴＳパケットに含まれる映像信号及び音声信号の復号処理を行う。そして、復号処理を行った映像信号を画面制御部３３に出力する一方、復号処理を行った音声信号をスピーカ５に出力する。
【００５３】
データ放送処理部３２は、デジタル放送受信部２で分離して出力されたＴＳパケットに含まれるデータ放送の処理内容を指定するＢＭＬの内容の解析を行い、その解析結果に応じた画像データ又は字幕データなどを画面制御部３３に出力する。また、後述するように、指定位置判定部３５による判定結果（特定結果）に応じて視聴者から指定された表示画面上の位置に配置された物品に応じた関連情報を画面制御部３３に出力する。
【００５４】
画面制御部３３は、映像・音声処理部３１から出力される映像信号と、利用者の操作に応じてデータ放送処理部３２から出力される画像データや字幕データなどを表示部４に出力する。特に、画面制御部３３は、映像・音声処理部３１から出力される映像信号と、データ放送処理部３２から出力される関連情報とを合わせて、表示部４に出力する。
【００５５】
指示検出部３４は、リモコン信号を検出すると共に当該リモコン信号に含まれる指示内容を判定し、その指示内容に応じた処理を行う。例えば、リモコン信号に放送局の選局指示が含まれる場合には、その選局指示に応じた放送局の放送データを受信させるべく、デジタル放送受信部２にその旨を通知する。また、リモコン信号に字幕の追加指示が含まれる場合には、字幕を映像信号に追加させるべく、データ放送処理部３２にその旨を通知する。さらに、リモコン信号に位置指定信号が含まれる場合には、その位置指定信号に含まれる、関連情報の表示要求位置を判定させるべく、指定位置判定部３５にその旨を通知する。
【００５６】
指定位置判定部３５は、指示検出部３４からの通知に応じて関連情報の表示要求位置を判定（特定）する。そして、その判定結果（特定結果）をデータ放送処理部３２に通知する。例えば、指定位置判定部３５は、関連情報の表示要求位置を特定する座標情報をデータ放送処理部３２に通知する。
【００５７】
次に、本デジタル放送受信装置７０に対してリモコン信号を送信するリモコン８の構成について図４を用いて説明する。図４は、デジタル放送受信装置７０にリモコン信号を送信するリモコン８の外観構成図である。
【００５８】
図４に示すように、リモコン８は、デジタル放送受信装置７０の電源のオン／オフを指示する電源ボタン９、選局方法の切替えを指示する選局切替ボタン１０、選局又はデータ放送サービスの画面（以下、適宜「データ放送画面」という）での数字入力に用いる数字ボタン１１、ＥＰＧ（電子番組ガイド）の表示を指示するＥＰＧボタン１２及び画面上におけるメニュー画面表示を指示するメニューボタン１３を備えている。
【００５９】
また、リモコン８は、データ放送画面におけるカーソルの移動に用いる矢印ボタン１４、カーソル位置における実行を指示する決定ボタン１５、選局の順送り／逆送りを指示するアップ／ダウンボタン１６、データ放送のメニュー画面表示を指示するデータ連動ボタン１７、表示画面上におけるポインタＰの表示を指示するポインタボタン１８及び処理を前の処理に戻す戻るボタン１９を備えている。なお、ポインタＰは、上述の関連情報の表示要求位置を指定する際に用いられる。
【００６０】
さらに、リモコン８は、マルチ編成における映像の切替えを指示する映像ボタン２０、二ヶ国語音声出力における主音声・副音声の切替えを指示する音声ボタン２１及び字幕の表示を指示する字幕ボタン２２及びデータ放送画面で割り当てられるワンタッチ動作を指示するカラーボタン２３を備えている。なお、カラーボタン２３には、青色ボタン２３ｂ、赤色ボタン２３ｒ、緑色ボタン２３ｇ及び黄色ボタン２３ｙの４つが設けられている。
【００６１】
このような構成を有するリモコン８において、ポインタボタン１８が選択されると、矢印ボタン１４及び決定ボタン１５は、そのポインタＰの移動制御に用いられる。すなわち、矢印ボタン１４が、ポインタＰを上下左右に移動させる際に用いられる一方、決定ボタン１５が関連情報の表示要求位置を指定する際に用いられることとなる。
【００６２】
図５は、ポインタボタン１８が選択されることでポインタＰが表示された表示部４における表示画面例を示す図である。図５においては、椅子に座った２人の人物がテーブル上で雑誌を見ながら会話をしている映像の一画面例について示すものである。
【００６３】
図５に示す画面例において、テーブル上には、人物の手前側に２つのマグカップ及びデカンタが置かれる一方、人物の奥側に皿が置かれている。また、人物の右手奥側には、テレビ、時計及びペン立てが置かれた棚が設けられている。さらに、左方側の人物の後方の壁面には、額縁に飾られた絵画が掛けられている。
【００６４】
そして、図５に示す表示画面の映像信号を含む放送データには、表示画面上に映し出される映像に応じたあらゆる関連情報をデータ放送パケットに含んでいる。具体的には、２人の人物のプロフィールや嗜好、椅子、テーブル、マグカップ、デカンタ、皿、テレビ、時計、ペン立て及び絵画などの商品名、価格及び取扱店などの関連情報をデータ放送パケットに含んでいる。また、これらの物品の中で、物販またはアンケートの対象となるものについては、関連情報と共に前述したように視聴者が応答するために必要な情報が含まれている二次元コード画像が設定されている。なお、これらの関連情報及び二次元コード画像は、表示画面上における位置情報と対応付けられている。
【００６５】
このような画面（ポインタＰが表示される前の画面）が表示部４に表示された状態でポインタボタン１８が選択されると、図５に示すように、矢印形状のポインタＰが画面上に出現する。視聴者は、このように出現したポインタＰを、矢印ボタン１４を用いて上下左右に移動させる一方、決定ボタン１５を用いて関連情報の表示要求位置を指定することが可能となる。なお、ここでは、矢印形状のポインタＰについて示すが、ポインタＰの形状については適宜変形が可能である。
【００６６】
次に、上記構成を有するデジタル放送受信装置７０で関連情報を表示する際の動作について説明する。図６は、本実施の形態に係るデジタル放送受信装置７０で関連情報を表示する際の動作を説明するためのフロー図である。なお、図６においては、既に放送提供者から提供される放送データをデジタル放送受信装置７０で出力している場合について示すものとする。
【００６７】
放送局４０から提供される放送データを出力している間、デジタル放送受信装置７０（より詳しくは制御部３）は、リモコン信号による視聴者からの指示を検出するか監視している（ステップ（以下、「ＳＴ」と略す）１１）。なお、視聴者からの指示を検出しない場合には、この監視を継続する。
【００６８】
視聴者からの指示を検出した場合には、その指示が関連情報の表示指示であるか否かを判定する（ＳＴ１２）。かかる判定処理は、リモコン８におけるポインタボタン１８が選択されたか否かに応じて行われる。すなわち、ポインタボタン１８が選択された場合に関連情報の表示指示であると判定する一方、それ以外のボタンが選択された場合には関連情報の表示指示ではないと判定する。
【００６９】
ＳＴ２の判定処理において、関連情報の表示指示ではないと判定した場合には、視聴者から指示された内容に応答する（ＳＴ１３）。例えば、数字ボタン１１を用いた選局指示であれば、その選局指示に含まれる放送局に画面表示を切り替え、メニューボタン１３を用いたメニュー画面の表示指示であれば、表示部４にメニュー画面を表示させる。視聴者からの指示内容に応答した後、処理を終了する。
【００７０】
一方、ＳＴ２の判定処理において、関連情報の表示指示であると判定した場合には、表示画面上にポインタＰを表示する（ＳＴ１４）。このポインタＰの表示と共に、矢印ボタン１４を用いたポインタＰの移動制御を監視し、視聴者からの操作に応じてポインタＰの表示位置を移動させる。
【００７１】
ポインタＰの移動制御を監視する間、関連情報の表示要求位置が指定されたか判定する（ＳＴ１５）。かかる判定処理は、リモコン８における決定ボタン１５が選択されたか否かに応じて行われる。なお、関連情報の表示要求位置が指定されるまでは、上記ポインタＰの移動制御の監視を継続する。
【００７２】
関連情報の表示要求位置が指定されたと判定した場合には、その指定位置を特定する（ＳＴ１６）。具体的には、ポインタＰの先端部が指し示す表示画面上の位置の座標情報を特定する。
【００７３】
指定位置を特定したならば、その指定位置に配置された物品に応じた関連情報を、データ放送パケットに含まれる関連情報から選択する（ＳＴ１７）。なお、図６に示していないが、指定位置に応じた物品の関連情報がない場合には、その旨を表示画面上に表示、或いは、音声にて視聴者に通知する。このように指示された物品の関連情報がない場合にはその旨を通知するのは、視聴者に、デジタル放送受信装置７０における故障などの疑念を抱かせるのを防止するためである。
【００７４】
指定位置に配置された物品に応じた関連情報を選択した後、その関連情報のデータ放送画面と、映像信号による映像画面とを共に表示部４に表示する（ＳＴ１８）。このとき、この物品に二次元コード画像が設定されている場合には、併せてこの二次元コード画像もデータ放送画面に表示する。このようにして、視聴者から指定された表示画面上の物品の関連情報と、二次元コード画像が設定されている場合にはこの二次元コード画像とが表示部４に表示される。これにより、視聴者においては、この関連情報を見ることで表示画面上に映し出される物品などに関する情報を取得することが可能となる。
【００７５】
ここで、図６に示す動作によって表示部４に表示される表示画面について具体例を用いて説明する。図７は、図６に示す動作によって表示部４に表示される表示画面の具体例を示す図である。ここでは、図６に示した表示画面例を用いて説明するものとする。なお、図７においては、視聴者によりテーブル上に置かれた一方のマグカップに対応する位置がポインタＰによって関連情報の表示要求位置として指定された場合について示している。
【００７６】
図５に示した表示画面例において、図７に示すように、ポインタＰが矢印ボタン１４によってマグカップに対応する位置まで移動制御された後、決定ボタン１５が選択されると、図６に示すＳＴ１５にて関連情報の表示要求位置が指定されたと判定する。
【００７７】
関連情報の表示対象の位置が指定されると、ＳＴ１６において、これに応じて指定位置が特定され、ＳＴ１７において、その指定位置に配置された物品に応じた関連情報が、データ放送パケットに含まれる関連情報から選択される。これにより、マグカップに応じた関連情報が選択される。その後、ＳＴ１８において、マグカップに応じた関連情報と図５に示す映像とが表示部４に表示（図７に示す映像）される。
【００７８】
図７においては、関連情報が、縮小表示された図５に示す映像の表示部４における左方側の位置に表示される場合について示している。なお、関連情報の表示形態（位置及び大きさなど）は、これに限定されるものではなく、適宜変更が可能である。例えば、図５に示す映像の領域を最大限確保し、関連情報を、画面における最下方の領域（例えば、関連情報に対応した文書１行分の領域）を移動するように表示しても良い。
【００７９】
図７において、関連情報には、その商品名、価格、メーカー（製造元）、問い合わせ先、購入方法、取扱店、アンケート及びキャンペーンなどを含んでいる。具体的には、商品名として「マグカップＡ」、価格として「９００円」、メーカーとして「ＡＢＣ株式会社」、取扱店として「ＸＹＺ百貨店」などである。これにより、視聴者において、表示部４に映し出される映像上の物品に関する各種情報を映像と共に簡単且つ迅速に確認することが可能となる。関連情報に含まれる情報としては、これらに限定されるものではなく、いずれか又はこれらの組合せを含むよう適宜変更が可能である。これら項目以外にも、例えば、商品のサイズや重量などの情報を含めても良い。
【００８０】
そして、このマグカップが視聴者応答システムを通じて物販が可能な場合には、二次元コード画像７１が表示されるとともに、関連情報の購入方法の項目には、表示の二次元コード画像７１を通して発注可能であることが表示される。
【００８１】
また、視聴者が指定したマグカップに関して、視聴者の嗜好や意見を問うアンケートを実施している場合には、二次元コード画像７２が表示されるとともに、関連情報のアンケートの項目に、表示の二次元コード画像７３を通してのアンケートの実施中であることが表示される。勿論、アンケートを実施していない物品が選択された場合は、このアンケートの項目は設けない。
【００８２】
また、関連情報に含まれる項目内容のうち、キャンペーンとは、当該物品（この場合、マグカップ）の購入等に関して、現在、行われているキャンペーンの情報を表示するものである。例えば、購入価格の値引き等を行うキャンペーンが行われている場合には、視聴者からキャンペーンが選択されると、メーカーに提示することで値引きの特典が受けられる画像データ、パスワード又は合言葉などが表示される。
【００８３】
なお、図６においては、その他の関連情報として、図４に示す映像に応じて流れているバックグラウンドの音楽や、キャストに応じた関連情報も表示するようになっている。このように、表示部４に映し出される映像に応じた関連情報であって、ポインタＰで指定することが困難な音声信号等も選択できるようにしている。これにより、表示部４に映し出される映像に応じたあらゆる関連情報を視聴者が簡単且つ迅速に取得できるように構成されている。
【００８４】
ここでは、音声信号の一例としてバックグラウンドの音楽を示しているが、音声信号に応じた関連情報には、楽曲の名称、作曲者、作詞者及び歌手のいずれか又はこれらの組合せを含むようにしても良い。この場合には、表示部４に映し出される映像に関連する音楽に関する各種情報を映像と共に確認することが可能となる。
【００８５】
そして、この音楽の媒体が視聴者応答システムを通じて物販が可能な場合には、二次元コード画像７３が表示されるとともに、音楽に関する各種情報には、表示の二次元コード画像７３を通して発注可能であることも表示される。
【００８６】
このように、デジタル放送受信装置７０の図７に示す画面において、視聴者により選択されたマグカップは購入可能で、且つアンケートも募集中であり、画面のバックグラウンドに流れている音楽の媒体も購入可能であることを示している。従って、図１で説明したように、視聴者はカメラ付き情報端末装置８０を用いて、二次元コード画像７１を撮影すればマグカップが発注でき、二次元コード画像７２を撮影すればマグカップのアンケートに参加でき、そして、二次元コード画像７３を撮影すれば音楽媒体を発注することができる。
【００８７】
本実施の形態に係るデジタル放送受信装置７０においては、表示部４に表示された映像上を移動可能に制御されるポインタＰにより視聴者から指定される位置を受け付ける。これにより、ポインタＰにより視聴者が関連情報を取得したい映像上の位置が指定されることから、視聴者において容易に関連情報を取得したい映像上の物品を指定することが可能となると共に、デジタル放送受信装置７０において確実に視聴者から指定された位置に配置された物品を特定することが可能となる。
【００８８】
また、本実施の形態に係るデジタル放送受信装置７０において、放送データに含まれる関連情報としては、例えば、上述のような物品に応じた関連情報の他、人物（出演者）の氏名、年齢、嗜好及び経歴のいずれか又はこれらの組合せを含むようにしても良い。このように出演者の氏名や経歴などを含ませた場合には、視聴者において、出演者の氏名や経歴などを確認した上でドラマ又はニュース等を視聴することが可能となる。
【００８９】
なお、以上の説明においては、視聴者のポインタボタン１８の選択に応じて表示画面上にポインタＰを出現させ、そのポインタＰにより指定された位置に配置された物品に応じた関連情報及び二次元コード画像を視聴者に提供する場合について示している。しかし、関連情報や二次元コード画像を視聴者に提供する手法としては、必ずしもこれに限定されるものではなく、適宜変更が可能である。
【００９０】
例えば、図８に示すように、表示部４に表示される画面を複数に分割（ここでは、１２分割）し、分割された領域内の物品等に応じた関連情報をリスト形式で提供するようにしても良い。図８においては、最左方側であって下段の領域内の映像に応じた関連情報をリスト形式で提供した場合について示している。すなわち、関連情報には、当該領域内に存在するマグカップ、デカンタ及びテーブルの関連情報が表示されている。これにより、表示部４の一部分に映し出される映像に含まれる複数の物品（ここでは、マグカップ、デカンタ及びテーブル）を指定することが可能となると共に、これらの物品に応じた関連情報及び二次元コード画像を簡単且つ迅速に取得することが可能となる。
【００９１】
なお、この場合において、分割されたそれぞれの領域を、図３に示すリモコン９に設けられた数字ボタン１１で指定できるようにすることは実施の形態として好ましい。このように数字ボタン１１により分割された領域を指定することで、より簡単且つ迅速に所望の物品等に応じた関連情報及び二次元コード画像を取得することが可能となる。
【００９２】
また、この場合において、１２分割された単一の領域を指定するのではなく、２つ以上の領域を指定できるようにすることは実施の形態として好ましい。この場合には、画面上の一定範囲に存在する物品等に応じた情報をまとめて表示させることができるため、所望の領域を特定できないような場合においても、簡単且つ迅速に所望の物品等に応じた関連情報及び二次元コード画像を取得することが可能となる。
【００９３】
関連情報及び二次元コード画像は、いわゆる「ｄボタン」と称されるデータ連動ボタン１７の操作により表示しても良い。このときの動作は、図３において、データ連動ボタン１７の操作を示すリモコン信号がリモコン受光部６に入力すると、指示検出部３４が、リモコン信号に含まれる指示内容がデータ放送の指示であることを判別する。そして、データ放送処理部３２は、現在、映像と同時にデータ放送されている内容を画面制御部３３に出力し、表示部４は画面制御部３３に制御されて、映像画面とデータ放送画面の両方を表示する。
【００９４】
データ連動ボタン１７の操作にてデータ放送画面に関連情報及び二次元コード画像を表示する場合、現在の映像画面の内容とは直接関係しない物品やサービスについての関連情報と二次元コード画像とを表示することができる。そして、視聴者がカメラ付き情報端末装置８０にて二次元コード画像の撮影にて、応答受付者６０はウェブサイト６２上でこれらの物品やサービスについての視聴者からの応答を受け付けることができる。なお、映像のバックグラウンドに流れる音楽についての情報も、直接、映像画面とは関係しないために、データ連動ボタン１７の操作によりその関連情報と二次元コード画像が表示される構成であっても良い。
【００９５】
このように、データ連動ボタン１７の操作にてデータ放送画面に関連情報及び二次元コード画像を表示する場合は、現在の映像画面の内容とは直接関係しないために、データ放送のリアルタイム性を利用してその時点に応じた関連情報と二次元コード画像とを表示することができる。従って、時期に応じて価格を変動させて物品やサービスを提供する発注システムに特に有効となる。
【００９６】
例えば、航空券やホテルの宿泊予約の受付等では、サービスの提供日が迫ってくるとディスカウント販売が一般的に行われている。従って、航空券の販売業者や宿泊受付者等である応答受付者６０は、二次元コード画像にディスカウント価格情報及びサービス提供日（時間や期日）をコード化して放送局４０に提供しデータ放送を依頼する。これにより、価格の変動を確認した視聴者が、二次元コード画像を情報端末装置８０にて撮影すると、サービス提供日と価格情報がウェブサーバ６１に送信されて発注を行うことができる。
【００９７】
上記したごとく、本発明によると、関連情報と二次元コード画像はデータ放送にてデジタル放送受信装置７０の表示画面上に表示されるために、視聴者の情報端末装置８０に関連情報を表示するためのプログラムを必要とせず、視聴者は、情報端末装置８０のカメラにて二次元画像を撮影するだけで、ウェブサイト６２にアクセスして、商品購入やアンケートへの回答または会員登録等を行うことができる。よって、通常のカメラ付き情報端末装置の利用にて、手軽に応答することができる視聴者応答システムが提供される。
【００９８】
なお、本発明は上記実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【産業上の利用可能性】
【００９９】
本発明は、データ放送を利用して二次元コード画像を、表示画面上に表示させ、視聴者は、二次元画像をカメラ付き情報端末装置にて撮影することで視聴者からの応答を受け付けるウェブサイトにアクセスすることができる視聴者応答システムに関するものであって、物品やサービスの発注・アンケート応募・会員登録等のシステムに応用でき産業上の利用可能性を有するものである。
【符号の説明】
【０１００】
２      デジタル放送受信部
４      表示部
１７    データ連動ボタン（データ放送指示部）
３２    データ放送処理部
３５    指定位置判定部
４０    放送局
６２    ウェブサイト
８０    カメラ付き情報端末装置
Ｐ      ポインタ
【図１】
0005542770.tif 000002
【図２】
0005542770.tif 000003
【図３】
0005542770.tif 000004
【図４】
0005542770.tif 000005
【図５】
0005542770.tif 000006
【図６】
0005542770.tif 000007
【図７】
0005542770.tif 000008
【図８】
0005542770.tif 000009